(57)【要約】【課題】利便性を向上できる香り見本を提供する。【解決手段】香り見本１は、二つ折りして対向する前面部２及び背面部３を有して前面部２に貫通孔２ａを開口した支持部材１０と、香り物質を含有したゲル状の樹脂により形成される香り発生部４とを備え、香り発生部４が平面から成る底面４ａを前面部２とともに背面部３に貼着され、貫通孔２ａに弾性支持されて貫通孔２ａから前方に突出する突出部４ｂを有する。【選択図】図１
2017012562.tif 000002
【特許請求の範囲】
【請求項１】
二つ折りして対向する前面部及び背面部を有して前記前面部に貫通孔を開口した支持部材と、香り物質を含有したゲル状の樹脂により形成される香り発生部とを備え、
前記香り発生部が平面から成る底面を前記前面部とともに前記背面部に貼着され、前記貫通孔に弾性支持されて前記貫通孔から前方に突出する突出部を有することを特徴とする香り見本。
【請求項２】
前記香り発生部が底面に沿って前記突出部の周面から突出する鍔部を有し、前記鍔部が前記前面部と前記背面部との間に挟持されることを特徴とする請求項１に記載の香り見本。
【請求項３】
前記香り発生部が樹脂フィルムにより覆われるとともに少なくとも前記突出部を覆う前記樹脂フィルムが通気性を有し、前記鍔部が前記樹脂フィルムの熱接着部により形成されることを特徴とする請求項２に記載の香り見本。
【請求項４】
前記香り発生部がフィルム状部材により覆われ、少なくとも前記突出部を覆う前記フィルム状部材が通気性を有することを特徴とする請求項１または請求項２に記載の香り見本。
【請求項５】
前記底面上の前記フィルム状部材を非通気性に形成したことを特徴とする請求項４に記載の香り見本。
【請求項６】
展示棚に掛止される掛止部を前記背面部に設けたことを特徴とする請求項１〜請求項５のいずれかに記載の香り見本。
【請求項７】
前記香り発生部の前記香り物質を含有する樹脂がウレタン樹脂から成ることを特徴とする請求項１〜請求項６のいずれかに記載の香り見本。
【請求項８】
前記支持部材が板紙から成ることを特徴とする請求項１〜請求項７のいずれかに記載の香り見本。
【請求項９】
前記突出部を半球形状に形成して前記貫通孔を前記突出部の直径よりも小径の円形にしたことを特徴とする請求項１〜請求項８のいずれかに記載の香り見本。
【発明の詳細な説明】
【技術分野】
【０００１】
本発明は、店頭試供品等に用いられる香りを発生する香り見本に関する。
【背景技術】
【０００２】
洗剤、芳香剤や香水等の商品の香りを顧客が購入前に試香できる店頭試供品は商品とは異なる香り見本により提供される場合がある。特許文献１には従来の香り見本が開示されている。この香り見本は下端に所定の隙間を有して上端で二つ折りされる前面部及び背面部を有する支持部材と、フィルムにより形成されて香り物質が収納された包装袋とを備える。包装袋は支持部材の前面部の内面に接着され、前面部及び包装袋に貫通する吐出口が設けられている。
【０００３】
上記構成の香り見本は吐出口が開封された後に商品が展示される展示棚に貼着される。そして、前面部の下端部及び背面部の下端部を互いに接近する方向に移動させて包装袋を押圧すると、吐出口を介して香り物質の香りが放出される。これにより、顧客は香り物質の香りを試香して商品を選択することができる。
【先行技術文献】
【特許文献】
【０００４】
【特許文献１】登録実用新案第３１４４０１７号公報（第５頁、第６頁、第７図、第９図）
【発明の概要】
【発明が解決しようとする課題】
【０００５】
しかしながら、上記従来の香り見本によると、顧客は香り見本に鼻を近づけてから香りを放出させる必要がある。このため、展示棚の高い位置に香り見本が取り付けられると香り見本に顔を近づけて試香することが困難になり、利便性が悪い問題があった。
【０００６】
本発明は、利便性を向上できる香り見本を提供することを目的とする。
【課題を解決するための手段】
【０００７】
上記目的を達成するために本発明の香り見本は、二つ折りして対向する前面部及び背面部を有して前記前面部に貫通孔を開口した支持部材と、香り物質を含有したゲル状の樹脂により形成される香り発生部とを備え、前記香り発生部が平面から成る底面を前記前面部とともに前記背面部に貼着され、前記貫通孔に弾性支持されて前記貫通孔から前方に突出する突出部を有することを特徴としている。
【０００８】
この構成によると、香り発生部から香り物質の香りが発散され、顧客が手指で香り発生部に触れると香り物質が手指に付着する。
【０００９】
また本発明は、上記構成の香り見本において、前記香り発生部が前記底面に沿って前記突出部の周面から突出する鍔部を有し、前記鍔部が前記前面部と前記背面部との間に挟持されると好ましい。
【００１０】
また本発明は、上記構成の香り見本において、前記香り発生部が樹脂フィルムにより覆われるとともに少なくとも前記突出部を覆う前記樹脂フィルムが通気性を有し、前記鍔部が前記樹脂フィルムの熱接着部により形成されると好ましい。
【００１１】
また本発明は、上記構成の香り見本において、前記香り発生部がフィルム状部材により覆われ、少なくとも前記突出部を覆う前記フィルム状部材が通気性を有すると好ましい。
【００１２】
また本発明は、上記構成の香り見本において、前記底面上の前記フィルム状部材が非通気性に形成されると好ましい。
【００１３】
また本発明は、上記構成の香り見本において、展示棚に掛止される掛止部を前記背面部に設けると好ましい。
【００１４】
また本発明は、上記構成の香り見本において、前記香り発生部の前記香り物質を含有する樹脂がウレタン樹脂から成ると好ましい。
【００１５】
また本発明は、上記構成の香り見本において、前記支持部材が板紙から成ると好ましい。
【００１６】
また本発明は、上記構成の香り見本において、前記突出部を半球形状に形成して前記貫通孔を前記突出部の直径よりも小径の円形にすると好ましい。
【発明の効果】
【００１７】
本発明によると、香り物質を含有したゲル状の樹脂により形成される香り発生部が支持部材の前面部とともに背面部に貼着され、前面部に開口した貫通孔に弾性支持されて貫通孔から前方に突出する突出部を有する。これにより、顧客が手指で香り発生部に触れると手指に香り物質が付着し、顧客は手指に付着した香り物質の香りを嗅いで試香することができる。したがって、香り見本の利便性を向上して試香を容易に行うことができる。
【図面の簡単な説明】
【００１８】
【図１】本発明の第１実施形態の香り見本を示す斜視図
【図２】本発明の第１実施形態の香り見本を示す側面断面図
【図３】本発明の第１実施形態の香り見本の支持部材を形成するブランク板を示す展開図
【図４】本発明の第１実施形態の香り見本の掛止部を形成するブランク板を示す展開図
【図５】本発明の第１実施形態の香り見本の使用状態を示す側面図
【図６】本発明の第１実施形態の香り見本の使用状態を示す正面図
【図７】本発明の第２実施形態の香り見本の支持部材を形成するブランク板を示す展開図
【発明を実施するための形態】
【００１９】
＜第１実施形態＞
以下に本発明の実施形態を図面を参照して説明する。図１は第１実施形態の香り見本の斜視図を示している。香り見本１は平板状の支持部材１０の前面に突出して香り物質を含有した香り発生部４が配される。支持部材１０の背面には商品の展示棚７０（図５参照）に掛止される掛止部５が設けられる。
【００２０】
図２は香り見本１の側面断面図を示している。支持部材１０は下端で二つ折りして対向する前面部２及び背面部３を有し、前面部２には円形の貫通孔２ａが開口する。図３は支持部材１０の展開図を示している。支持部材１０を形成するブランク板１００はマニラボール、ボール紙、カード紙、クラフトボール等の板紙のシートを打ち抜いて形成される。なお、樹脂板によりブランク板１００を形成してもよい。
【００２１】
前面部２と背面部３との間には折り線９０が設けられ、貫通孔２ａは前面部２の中央に対して折り線９０側に偏って設けられる。背面部３の一面には両面粘着テープ６が貼着される。支持部材１０は両面粘着テープ６を内面側に配して折り線９０で折曲して形成される。
【００２２】
前面部２の前面には商品６０（図５参照）に関する絵、写真や文字等の広告が印刷される。これにより、香り見本１は商品６０について容易に訴求することができる。この時、貫通孔２ａは前面部２の中央に対して折り線９０側に偏って設けられるため、貫通孔２ａに対して折り線９０の反対側に商品６０の広告を印刷するスペースを十分に確保することができる。
【００２３】
香り発生部４は円形の底面４ａと半球形状の突出部４ｂとを有する。底面４ａは平面から成り、両面粘着シート６を介して前面部２とともに背面部３に貼着されている。貫通孔２ａの直径は突出部４ｂの直径よりも小径に形成される。これにより、突出部４ｂは貫通孔２ａにより弾性支持され、貫通孔２ａから前方に突出する。
【００２４】
香り発生部４は香り物質及び白色顔料を含有したゲル状のウレタン樹脂により形成され、通気性を有する透明な樹脂フィルム２０により覆われる。これにより、白色の香り発生部４から香り物質の香りが発散されるとともに、香り発生部４のゲル状のウレタン樹脂への塵埃の付着を低減することができる。
【００２５】
樹脂フィルム２０の材質に特に限定はないが、例えばポリエチレンを用いることができる。また、香り物質としては芳香剤、化粧品、柔軟剤、洗剤等の商品６０（図５、図６参照）に含まれる香り物質を用いることができる。
【００２６】
香り発生部４を覆う樹脂フィルム２０は少なくとも基材層（不図示）と熱接着性樹脂層（不図示）とを有する第１積層フィルム２１及び第２積層フィルム２２から成る。第１積層フィルム２１は香り発生部４の突出部４ｂの全体を覆い、第２積層フィルム２２は香り発生部４の底面４ａの全体を覆う。なお、第１積層フィルム２１が通気性を有すればよく、第２積層フィルム２２は通気性を有しても有さなくともよい。また、第１積層フィルム２１及び第２積層フィルム２２の材質は同じでもよく、異なってもよい。
【００２７】
第１積層フィルム２１及び第２積層フィルム２２は底面４ａに沿って突出部４ｂの周囲で熱接着部２３により熱接着される。熱接着部２３により、底面４ａに沿って突出部４ｂの周面から突出する鍔部４ｃが形成される。
【００２８】
熱接着部２３により形成される鍔部４ｃは前面部２と背面部３との間に挟持される。これにより、香り発生部４の支持部材１０からの脱落を防止することができる。また、熱接着部２３が視認されないため、香り見本１の美観を向上させることができる。
【００２９】
なお、本実施形態では熱接着部２３により鍔部４ｃを形成しているが、底面４ａに沿って突出部４ｂの周面からゲル状のウレタン樹脂を突出させて鍔部を形成してもよい。
【００３０】
香り発生部４の製造方法に特に限定はないが、液体のウレタン樹脂に香り物質及び白色顔料を混合して均一に分散させた後にゲル化剤等を添加して製造される。
【００３１】
なお、本実施形態においてウレタン樹脂には白色顔料が含有されているが、例えば桃色顔料等の他の色彩の顔料を含有させてもよく、また顔料を含有させずに香り発生部４を無色透明に形成してもよい。
【００３２】
また、ゲル状のウレタン樹脂に替えて、ゲル状のスチレン樹脂等のその他のゲル状の樹脂により香り発生部４を形成してもよい。ただし、ゲル状のスチレン樹脂により香り発生部４を形成する場合には加熱処理が必要になる。このため、ゲル状のウレタン樹脂により香り発生部４を形成すると熱による香り物質の変性等を防止できるため、より望ましい。
【００３３】
掛止部５は樹脂から成り、両面粘着テープ７（図２参照）を介して支持部材１０の背面部３の背面に貼着される。掛止部５は支持部材１０に貼着される貼着部５３の上端から折曲された上面部５２の後端から折曲して下方に延びる背面部５１を有し、側面視で下端を開放したコ字状に形成される。背面部５１は下方へ行くほど貼着部５３から離れる方向に傾斜している。掛止部５の上面部５２には紐状部材（不図示）が挿通される孔部５２ａが設けられる。なお、掛止部５を薄い金属板により形成してもよい。
【００３４】
図４は掛止部５の展開図を示している。掛止部５を形成するブランク板２００は樹脂板を打ち抜いて形成され、折り線９０で折曲して掛止部５を形成する。ブランク板２００の材質に特に限定はないが、例えばポリエチレンテレフタラートを用いることができる。また、薄い金属板によりブランク板２００を形成してもよい。
【００３５】
背面部５１、上面部５２及び貼着部５３は折り線９０を介して順に連設され、上面部５２の右部には打ち抜きにより孔部５２ａが形成される。貼着部５３の一面には両面粘着テープ７が配される。
【００３６】
香り見本１の組み立て時には、まず香り発生部４の突出部４ｂが前面部２の貫通孔２ａに挿入される。この時、突出部４ｂは小径の貫通孔２ａにより弾性支持されるため、前面部２は香り発生部４を容易に保持することができる。
【００３７】
次に、背面部３が香り発生部４の底面４ａに対向するようにブランク板１００（図３参照）が折り線９０で折曲される。そして、背面部３により香り発生部４の底面４ａを押圧しながら支持部材１０が二つ折りされ、両面粘着テープ６により前面部２及び香り発生部４の底面４ａが背面部３に貼着される。
【００３８】
次に、背面部３の背面側に両面粘着テープ７を介して掛止部５の貼着部５３が貼着される。これにより、香り見本１が形成される。なお、両面粘着テープ６、７に替えて接着剤を用いてもよい。香り見本１は図１に示す状態で輸送や保管が行われる。
【００３９】
図５及び図６は香り見本１の使用状態の側面図及び正面図をそれぞれ示している。店頭に設置される展示棚７０は商品６０が載置される設置部７２と、設置部７２の前端部に立設されて商品６０の価格等を表示する透明な板状のプライスレール７１とを有する。香り見本１は掛止部５によりプライスレール７１に掛止され、展示棚７０に着脱可能に取り付けられる。この時、背面部５１は下方へ行くほど貼着部５３から離れる方向に傾斜している。これにより、貼着部５３と背面部５１との間の隙間Ｓにプライスレール７１を容易に進入させることができ、掛止部５を容易にプライスレール７１に掛止することができる。
【００４０】
また、孔部５２ａ（図１参照）に挿通された紐状部材（不図示）をクリップ状部材（不図示）等でプライスレール７１に取り付ける。これにより、香り見本１の床面への落下を防止することができる。
【００４１】
顧客が手指で香り発生部４を押圧すると、樹脂フィルム２０を介して香り物質が手指に付着する。そして、顧客は手指に付着した香り物質の香りを嗅ぐことにより試香することができる。これにより、香り見本１が展示棚７０の高い位置に取り付けられている場合でも顧客は香り見本１に鼻を近づけることなく、試香することができる。したがって、香り見本１の利便性を向上して容易に試香を行うことができる。
【００４２】
また、香り発生部４はゲル状のウレタン樹脂により形成されるため、弾力性を有した良好な触感を与えることができる。これにより、香り発生部４に触れる興味を顧客に喚起させることができる。
【００４３】
また、突出部４ｂは貫通孔２ａから前方に突出しているため、顧客の好奇心をより刺激し、香り発生部４に触れる意欲を一層高めることができる。
【００４４】
また、香り発生部４と前面部２と背面部３とが両面粘着テープ６により貼着されている。これにより、顧客が前方から香り発生部４を押圧しても香り発生部４の支持部材１０からの脱落を防止することができる。
【００４５】
本実施形態によれば、香り物質を含有したゲル状のウレタン樹脂により形成される香り発生部４が前面部２とともに背面部３に貼着され、貫通孔２ａに弾性支持されて貫通孔２ａから前方に突出する突出部４ｂを有する。これにより、顧客が手指で突出部４ｂに触れると手指に香り物質が付着し、顧客は手指に付着した香り物質の香りを嗅ぐことできる。したがって、香り見本１の利便性を向上して容易に試香を行うことができる。
【００４６】
また、香り発生部４が底面４ａに沿って突出部４ｂの周面から突出する鍔部４ｃを有し、鍔部４ｃが前面部２と背面部３との間に挟持される。これにより、香り発生部４の支持部材１０からの脱落を容易に防止することができる。また、鍔部４ｃが視認されないため、香り見本１の美観の低下を容易に防止することができる。
【００４７】
なお、香り発生部４は背面部３に貼着されるため鍔部４ｃを省いてもよいが、鍔部４ｃを設けると香り発生部４の脱落を確実に防止できるためより望ましい。
【００４８】
また、香り発生部４が樹脂フィルム２０により覆われるとともに突出部４ｂを覆う樹脂フィルム２０が通気性を有し、鍔部４ｃが樹脂フィルム２０の熱接着部２３により形成される。これにより、ゲル状のウレタン樹脂への塵埃の付着を防止しながら顧客の手指に香り物質を付着させることができる。また、熱接着部２３により鍔部４ｃを容易に形成することができる。
【００４９】
なお、樹脂フィルム２０を省いてもよいが、樹脂フィルム２０を設けると粘着性のゲル状の樹脂に対する塵埃の付着による汚れを防止できるためより望ましい。
【００５０】
なお、樹脂フィルム２０に替えて、例えば紙や不織布等から成るフィルム状部材（不図示）によって香り発生部４を覆ってもよい。この場合、少なくとも突出部４ｂを覆うフィルム状部材が通気性を有すればよく、香り発生部４の底面４ａ上のフィルム状部材は通気性に形成されても非通気性に形成されてもよい。ただし、香り発生部４の底面４ａ上のフィルム状部材を非通気性に形成すると、両面粘着テープ６の粘着成分や接着剤等の香り発生部４への浸入を防止することができるため、より望ましい。
【００５１】
また、展示棚７０に掛止される掛止部５を背面部３に設けているため、香り見本１を展示棚７０に容易に取り付けることができる。
【００５２】
また、香り発生部４の香り物質を含有する樹脂がウレタン樹脂から成るため、弾力性を有した良好な触感を与えることができる。これにより、香り発生部４に触れる興味を顧客に喚起させることができる。
【００５３】
また、支持部材１０が板紙から成るため、香り発生部４を支持する支持部材１０を安価で簡単に実現することができる。
【００５４】
また、突出部４ｂを半球形状に形成して貫通孔２ａを突出部４ｂの直径よりも小径の円形にしている。これにより、突出部４ｂを簡単に弾性支持することができる。
【００５５】
＜第２実施形態＞
次に、本発明の第２実施形態について説明する。図７は第２実施形態の香り見本の支持部材の展開図を示している。説明の便宜上、前述の図１〜図６に示した第１実施形態と同様の部分には同一の符号を付している。本実施形態では貫通孔２ａの形状が第１実施形態とは異なっている。その他の部分は第１実施形態と同様である。
【００５６】
貫通孔２ａは矩形に形成され、貫通孔２ａの一辺の長さは半球形状の突出部４ｂの直径よりも短くなっている。香り見本１の組み立て時に突出部４ｂを貫通孔２ａに挿入すると、第１実施形態と同様に突出部４ｂは貫通孔２ａにより弾性支持されるため、前面部２は香り発生部４を容易に保持することができる。
【００５７】
背面部３の一面には複数の短冊状の両面粘着テープ６が図中、上下に並べて配される。最上段及び最下段の両面粘着テープ６は前面部２と背面部３とを重ねた際に貫通孔２ａに対向しない位置に配され、中段の両面粘着テープ６は貫通孔２ａに弾性支持された突出部４ｂにより全体が覆われる位置に配される。これにより、両面粘着テープ６が貫通孔２ａを介して視認されず、香り見本１の美観の低下を抑制することができる。
【００５８】
本実施形態では突出部４ｂが半球形状に形成されるとともに貫通孔２ａが矩形に形成される。これにより、貫通孔２ａを介して両面粘着テープ６が視認されないように複数の両面粘着テープ６を背面部３に配する必要がある。このため、第１実施形態のように、突出部４ｂを半球形状に形成して貫通孔２ａを突出部４ｂの直径よりも小径の円形にすると、突出部４ｂを簡単に弾性支持して香り見本１を簡単に形成することができるため、より望ましい。
【００５９】
なお、第１実施形態及び第２実施形態において、香り発生部４の突出部４ｂを半球形状に形成しているが、これに限定されない。例えば、突出部４ｂを三角柱形状、三角錐形状、四角柱形状、四角錐形状、多角柱形状、多角錐形状、ピロー形状等に形成してもよい。
【００６０】
また、第１実施形態及び第２実施形態において、前面部２及び背面部３は下端で二つ折りされているが、これに限定されない。例えば、前面部２及び背面部３を上端で二つ折りしてもよく、左端または右端で二つ折りしてもよい。
【００６１】
また、第１実施形態及び第２実施形態において、掛止部５を省いて、例えば前面部２及び背面部３に孔部を設けて孔部に紐状部材を挿通して香り見本１を展示棚７０から吊り下げてもよい。また、掛止部５を省いて、背面部３の背面に配した両面粘着テープ７をプライスレール７１に直接貼着することによって香り見本１を展示棚７０に取り付けてもよい。
【産業上の利用可能性】
【００６２】
本発明は、店頭試供品等に用いられる香りを発生する香り見本に利用することができる。
【符号の説明】
【００６３】
１      香り見本
２      前面部
２ａ    貫通孔
３      背面部
４      香り発生部
４ａ    底面
４ｂ    突出部
４ｃ    鍔部
５      掛止部
６、７  両面粘着テープ
１０    支持部材
２０    樹脂フィルム
２１    第１積層フィルム
２２    第２積層フィルム
２３    熱接着部
６０    商品
７０    展示棚
７１    プライスレール
９０    折り線
１００、２００  ブランク板
【図１】
2017012562.tif 000003
【図２】
2017012562.tif 000004
【図３】
2017012562.tif 000005
【図４】
2017012562.tif 000006
【図５】
2017012562.tif 000007
【図６】
2017012562.tif 000008
【図７】
2017012562.tif 000009